(57)【要約】【課題】引出しの構造を比較的自由に形成すると共に自閉装置を簡便に設ける。【解決手段】引出し体２ａ，２ｂの側板２１の上木口２１ａに上方に突出する突出ピン４を設けると共に、これらの上に位置する収納体1の面（天板下面１１ａ、横材下木口面１３ｂ）に自閉ユニット３ａ，３ｂを設ける。引出し体が閉じる方向に移動する途中で突起が自閉ユニットのスリットに入り込み、自閉ユニットに内蔵される係止体に係止し、付勢手段により係止体と共に移動して引出し体を自閉する。引出し体の下面とこの下に位置する収納体の面との間に自閉装置が設けられる実施形態も採用し得る。【選択図】図１
2007089785.tif 000002
【特許請求の範囲】
【請求項１】
引出し体の側板の上木口とこの上に位置する収納体の面との間、または引出し体の下面とこの下に位置する収納体の面との間に自閉装置が設けられることを特徴とする引出し構造。
【請求項２】
自閉装置が、引出し体の上木口または下面と収納体の面のいずれか一方に設けられる突起と、他方に設けられて係止体及び該係止体を付勢する付勢手段を内蔵する自閉ユニットとを有してなり、引出し体を閉じる方向に移動したときに突起が自閉ユニットのスリットに入り込み、係止体に係止し、付勢手段により係止体と共に移動して該引出し体を自閉することを特徴とする請求項１の引出し構造。
【請求項３】
突起が引出し体の下面の幅方向略中央から下方に突出するように設けられると共に、自閉ユニットが引出し体の下方において収納体の左右一対の横材間に架け渡される支持金具上の幅方向略中央に固定されることを特徴とする請求項２の引出し構造。
【発明の詳細な説明】
【技術分野】
【０００１】
本発明は引出し構造に関する。
【背景技術】
【０００２】
引出し構造の従来技術として下記特許文献１，２に開示されるようなものが知られている。
【特許文献１】特公平５-２３７６３号公報
【特許文献２】特開２００５−３４３４８号公報
【０００３】
これら従来技術の引出し構造においては、引出し体を自動的に閉じる自閉装置を引出し体の側壁と引出し体を収容する収納体側壁との間に設けている。
【発明の開示】
【発明が解決しようとする課題】
【０００４】
しかしながら、特許文献１，２記載のような構造を採用すると、自閉装置が引出し体と収納体側壁との間に設けられるため、引出しの構造に制約を与えるおそれがある。
【０００５】
また、このような場所に自閉装置を設置することが必要とされることから、組立工程が煩雑となり、施工に時間を要するものとなっていた。
【０００６】
したがって、本発明が解決しようとする課題は、引出しの構造を比較的自由に形成すると共に自閉装置を簡便に設けることができる新規な技術を提供することにある。
【課題を解決するための手段】
【０００７】
上記の課題を達成するため、請求項１に係る本発明は、引出し体の側板の上木口とこの上に位置する収納体の面との間、または引出し体の下面とこの下に位置する収納体の面との間に自閉装置が設けられることを特徴とする引出し構造である。
【０００８】
請求項２に係る本発明は、請求項１の引出し構造において、自閉装置が、引出し体の上木口または下面と収納体の面のいずれか一方に設けられる突起と、他方に設けられて係止体及び該係止体を付勢する付勢手段を内蔵する自閉ユニットとを有してなり、引出し体を閉じる方向に移動したときに突起が自閉ユニットのスリットに入り込み、係止体に係止し、付勢手段により係止体と共に移動して該引出し体を自閉することを特徴とする。
【０００９】
請求項３に係る本発明は、請求項２の引出し構造において、突起が引出し体の下面の幅方向略中央から下方に突出するように設けられると共に、自閉ユニットが引出し体の下方において収納体の左右一対の横材間に架け渡される支持金具上の幅方向略中央に固定されることを特徴とする。
【発明の効果】
【００１０】
請求項１に係る本発明によれば、引出し体の側板の上木口とこの上に位置する収納体の面との間、または引出し体の下面とこの下に位置する収納体の面との間のスペースを利用して自閉装置が設けられるので、引出し構造に対する設計上の自由度を確保することができる。
【００１１】
請求項２に係る本発明によれば、自閉装置が突起と自閉ユニットとから構成され、これらを前記スペースに簡単に取り付けることができるので、引出しを短時間で容易に施工することができる。
【００１２】
請求項３に係る本発明によれば、自閉装置が幅方向略中央に設けられるので、引出し体の開閉がスムーズに行われる。
【発明を実施するための最良の形態】
【００１３】
本発明の一実施形態による引出し構造について図１及び図２を参照して説明する。この引出し構造は、収納体１に引出し体２ａ，２ｂが各々出し入れ可能に収納されるものであり、図１では上方の引出し体２ａが半開きの状態、下方の引出し体2ｂが閉じた状態で示されている。
【００１４】
収納体１は天板１１、４本の支柱１２、各左右一対の横材１３、左右一対の側板１４、背板１５、底板（図示せず）などからなる前面開口の箱状体である。
【００１５】
引出し体２ａ，２ｂは同一形状・同一構成であり、左右一対の側板２１、前板２２、後板２３及び底板２４からなる上面開口の箱状体であり、その下に位置する横材１３の上木口面１３ａ上を略水平方向にスライド移動可能である。図示しないが、たとえば引出し体２ａ，２ｂの側板２１と収納体１の支柱１２との間にレールを設けたスライド機構を採用しても良い。前板２２には引出し操作を容易にするための取手２５が取り付けられている。
【００１６】
この引出し構造において、自閉ユニット３ａが天板１１の下面１１ａに固定されると共に、同一構成の自閉ユニット３ｂが横材１３の下木口１３ｂに固定される。これらの自閉ユニット３ａ，３ｂは公知のものであって良く、たとえば特開２００５-２０１３４４号公報に緩衝装置として記載される構成のものを使用することができる。すなわち、各自閉ユニット３ａ，３ｂは直方体形状の細長ケースを有し、この中に緩衝機構が設けられる。細長ケースの高さはできるだけ小さいことが好ましい。さらに、細長ケースの前端側の下面には所要の長さに亘ってスリット（図示せず）が形成されており、前端開口部３１において開口している。
【００１７】
一方、引出し体２ａ，２ｂの少なくとも一方の側板２１（図２において左側に示される側板２１）の上木口２１ａには上方に垂直に突出する突出ピン４が固定されており、自閉ユニット３ａ，３ｂと共に本発明の引出し構造における自閉装置を構成している。突出ピン４は上記自閉ユニット３ａ，３ｂの細長ケース前端開口３１から下面に所要の長さに亘って形成された上記スリットに嵌入可能な形状及び大きさを有している。
【００１８】
上記公報に記載されるように、自閉ユニット３ａ，３ｂの細長ケースには、突出ピン４が係止可能な係止体、この係止体を引出し体２ａ，２ｂの閉じる方向に付勢するコイルスプリング、係止体を固定する移動部材、ピニオンギアを備えた緩衝部材、ピニオンギアと噛み合うラックなどが内蔵されている。上記スリットに前端開口部３１から進入した突出ピン４が細長ケース内の係止体に係止すると、係止体の固定が解除され、係止体はコイルスプリングに付勢されて細長ケース内を図１右方向に移動し、これと共に突出ピン４も同方向に従動して引出し体２ａ，２ｂを自閉する。
【００１９】
引出し体が閉じた状態にあるとき（図１における引出し体２ｂ）、突出ピン４はスリットの奥深い位置にて該スリットを介して細長ケース内に突入し、係止体に係止されている。この状態から引出し体を手前に引き出そうとすると、ロータリーダンパなどの緩衝部材の作用によってある程度の引出し抵抗が加わった状態で係止体と共に突出ピン４がスリットに沿って図１左方向に移動し、さらに移動することにより緩衝部材から外れて引出し抵抗が無くなり、さらにスリット前端開口部３１から外れて全開可能となる。
【００２０】
全開状態の引出し体を閉じる方向に移動すると、略半開の時点で突出ピン４が前端開口部３１からスリットに入り込み、自閉ユニットの係止体に係止する（図１の引出し体２ａの状態）。突出ピン４が係止体に係止したときから緩衝部材による押込み抵抗が発生し、該抵抗がかかった状態でコイルスプリングの付勢により自閉される（図１における引出し体2ｂの状態となる）。
【００２１】
図３及び図４は本発明の他の実施形態による引出し構造を示すが、図１及び図２に示す実施形態におけると実質的に同一の部材・部分・要素については同一の符号を付して詳細な説明を割愛する。
【００２２】
この実施形態では、引出し体２ａのための自閉ユニット３ｃが、該引出し体２ａの下に位置する左右一対の横材１３，１３間に架け渡した前後一対の板状支持金具５，５上に、幅方向略中心位置で固定されている。自閉ユニット３ｃは、前述の実施形態における自閉ユニット３ａ，３ｂと略同一構成のものであるが、この実施形態では上下を反転させた状態で用いている。したがって、その細長ケースの前端開口３１から上面に所要の長さに亘ってスリットが延長している。また、突出ピン４’は、引出し体２ａの底板２４の幅方向略中心位置にて下方に垂直に突出するように設けられており、引出し体２ａを閉じる方向に移動するときに、自閉ユニット３ｃのスリットに前端開口部３１から嵌入する。
【００２３】
この実施形態によると、前述の実施形態と同様の作用が得られることに加えて、自閉ユニット３ｃと突出ピン４’とで構成される自閉装置が引出し体２ａの幅方向略中央に設けられるので、引出し体２ａの開閉をよりスムーズに行うことができる利点がある。
【００２４】
本発明の引出し構造について図示実施形態に基づいて詳述したが、本発明はこれらに限定されるものではなく、特許請求の範囲の記載に基づいて定められる発明の範囲内において様々な変形や変更が可能である。たとえば、収納体に出し入れ可能に収納される引出し体の段数は任意である。また、図１及び図２に示す実施形態の自閉装置と図３及び図４に示す実施形態の自閉装置とを一つの収納体において引出し体ごとに適宜組み合わせて採用しても良い。
【図面の簡単な説明】
【００２５】
【図１】本発明の一実施形態による引出し構造を示す横断面図である。
【図２】図１中Ａ−Ａ線による断面図である。
【図３】本発明の別の実施形態による引出し構造を示す断面図である。
【図４】図３中Ｂ−Ｂ線による断面図である。
【符号の説明】
【００２６】
１  収納体
２ａ，２ｂ  引出し体
３ａ，３ｂ，３ｃ  自閉ユニット
４，４’  突出ピン（突起）
【図１】
2007089785.tif 000003
【図２】
2007089785.tif 000004
【図３】
2007089785.tif 000005
【図４】
2007089785.tif 000006